(57)【特許請求の範囲】
【請求項１】
ディスク載置用トレイを前後進可能に支持するローダーシャーシと、ターンテーブル及
び光ピックアップを搭載し前記ローダーシャーシ内に上下動可能に配置されたトラバース
シャーシと、前記ターンテーブルに対向してローダーシャーシの両側板間に架設した横桁
の中央収納部内に一定範囲内昇降可能に配置したクランパとを有し、ローダーシャーシの
上面開口部の前側部分を塞ぐための前側カバー及び該前側カバーの後端縁から上方に折れ
曲がる中央起立板を介して後方に延びる後側カバーからなるフロントダストカバーが設け
られ、そのフロントダストカバーの前側カバーをローダーシャーシの両側板間に渡し掛け
ると共に、後側カバーを横桁に当接または接近させており、前進状態のトレイ上にディス
クを載置し、該トレイを後進させてローダーシャーシ内に収納し、トラバースシャーシを
上動させてターンテーブルによりトレイ上のディスクを持ち上げてクランパとでチャッキ
ングし、ターンテーブルにより高速回転させたディスクに記録されている情報を光ピック
アップにより読み取るようにしたディスク装置において、前記フロントダストカバーの中
央起立板と横桁との間の隙間を塞ぐリブが該フロントダストカバーに一体突設され、該リ
ブが後側カバーと中央起立板との間の裏面コーナ部に前後進方向とは直交する左右方向に
所定間隔をおいて複数一体突設されると共に、該各リブの下縁が前側カバーの下面と面一
状にされており、各リブの後端縁を前記横桁に接近または当接させると共に、該各リブの
下縁を横桁の下縁と同一高さまたはわずかに上方に位置決めしたことを特徴とするディス
ク装置。
【発明の詳細な説明】
【技術分野】
【０００１】
本発明は、例えばＤＶＤレコーダやＤＶＤプレーヤなどのディスク装置に関し、特に、
トレイオープン時にディスク詰まりが生じないようにしたものである。
【背景技術】
【０００２】
従来、ディスク装置として図６〜図１２に示すものがあり、これはＤＶＤレコーダ（ま
たはＤＶＤプレーヤ）であって、図６は同トレイオープン状態の縦断面図、図７は同一部
切欠き平面図、図８は同トレイイン状態の縦断面図、図９は同一部切欠き平面図、図１０
は同要部の分解斜視図、図１１は同一部切欠き平面図、図１２は同フロントダストカバー
の裏面側斜視図である。
【０００３】
図６〜図９に示すように、筐体１内にディスク装置本体２が配置され、該ディスク装置
本体２が、トレイ３を前後進ａ，ｂ可能に支持する合成樹脂製ローダーシャーシ４と、該
ローダーシャーシ４内に配置した合成樹脂製トラバースシャーシ５とを有し、前記トレイ
３の上面３ａの中央に１２ｃｍのディスク（図示せず）を収納するための大径凹部３ｂが
形成されると共に、該大径凹部３ｂの中央に８ｃｍの小型ディスクＤを収納するための小
径凹部３ｃが形成されている。
【０００４】
図６〜図９に示すように、前記トラバースシャーシ５はシャーシ本体５ａとレバーシフ
ト５ｂとを有し、シャーシ本体５ａの後部がゴムからなる後側弾性体７を介してローダー
シャーシ４に上下動ｃ，ｄ可能に連結されると共に、該シャーシ本体５ａの前部がゴムか
らなる前側弾性体８を介してレバーシフト５ｂに連結され、前記シャーシ本体５ａにター
ンテーブル９付きスピンドルモータ１０とディスクＤの半径方向に移動可能な対物レンズ
ＯＬ付き光ピックアップ１１とが搭載されている。
【０００５】
図６〜図９に示すように、前記ローダーシャーシ４の前部にカムスライダ１２が前後進
ａ，ｂ方向とは直交する左右方向ｅ，ｆに沿ってスライド可能に配置され、該カムスライ
ダ１２に形成したカム溝１３ａと、レバーシフト５ｂに突設されてカム溝１３ａに嵌入す
るカムピン１３ｂとからなるカム機構１３によりカムスライダ１２とレバーシフト５ｂと
が連動連結されている。
【０００６】
図６〜図９に示すように、前記ターンテーブル９に対向してローダーシャーシ４の両側
板４ａ間に横桁１５が架設され、該横桁１５の中央上面に円筒状中央収納部１５ａが一体
突設され、該中央収納部１５ａ内にクランパ１６が一定範囲内昇降可能に配置され、該ク
ランパ１６の下部が中央収納部１５ａの底板に貫設した貫通孔を通って下方に突出されて
いる。
【０００７】
動作原理を説明すると、図６及び図７に実線で示すように、筐体１の前面パネル１ａの
開口部１８を通って前進ａさせたトレイ３上にディスクＤを載置し、図８及び図９に示す
ように、トレイ３を後進ｂさせてローダーシャーシ４内に収納し、カムスライダ１２を矢
印ｅ（またはｆ）方向にスライドさせることにより、カム機構１３及びレバーシフト５ｂ
を介してシャーシ本体５ａを上動ｃさせ、ターンテーブル９によりトレイ３上のディスク
Ｄを持ち上げてクランパ１６とでチャッキングし、スピンドルモータ１０によりターンテ
ーブル９を介して高速回転させたディスクＤに記録されている情報を光ピックアップ１１
により読み取る。
【０００８】
図１０〜図１２に示すように、ローダーシャーシ４の上面開口部の前側部分を塞ぐため
の平板状前側カバー２０ａ及び該前側カバー２０ａの後端縁から上方に折れ曲がる中央起
立板２０ｂを介して後方に延びる横断面略コ字状後側カバー２０ｃからなる合成樹脂製フ
ロントダストカバー２０が設けられ、前記前側カバー２０ａの両端に係合孔２１が貫設さ
れ、該各係合孔２１に対向してローダーシャーシ４の各側板４ａの上縁にフック２２が突
設されている。
【０００９】
図１０に仮想線で示すように、各係合孔２１を各フック２２に係合させて前側カバー２
０ａをローダーシャーシ４の両側板４ａ間に渡し掛け、後側カバー２０ｃを横桁１５の上
面に当接または接近させることにより、フロントダストカバー２０でローダーシャーシ４
の上面開口部の前側部分を塞ぎ、これによって、ターンテーブル９及びディスクＤを高速
回転させることにより塵埃がローダーシャーシ４内に前方から吸い込まれるのを防止する
。なお、関連する技術として特許文献１に記載したものがある。
【特許文献１】特開２００６−１５５７８４号公報
【発明の開示】
【発明が解決しようとする課題】
【００１０】
上記構成において、図７に示すように、前進ａ状態のトレイ３上に８ｃｍのディスクＤ
を載置する場合に、該ディスクＤが小型であることから、そのディスクＤをトレイ３の小
径凹部３ｃから後方にずれた位置に間違えて載置することがあり（図７仮想線参照）、こ
の状態でトレイ３を後進ｂさせてローダーシャーシ４内に収納すると、図９及び図１１に
示すように、ディスクＤがターンテーブル９から偏心して位置ずれされた状態となり、そ
のターンテーブル９を上昇させると、ミスチャッキングになる。
【００１１】
ここで、図１３（ａ）に示すように、ディスク装置が上向きに傾斜する載置面Ｇ上に載
置されることがあり（この例では傾斜角度αが１５°）、上述したミスチャッキングが生
じると、ターンテーブル９により持ち上げられたディスクＤが後方に滑ってトレイ３の後
側上面３ａに乗り上げることになる。この状態でトレイオープン時にエジェクト釦を押し
てトレイ３を前進ａさせると、図１３（ｂ）に示すように、ディスクＤにかかる押出力Ｆ
の水平分力Ｆａと垂直分力Ｆｂとのうち、その水平分力ＦａによりディスクＤが前進ａさ
れると共に、その垂直分力Ｆｂにより該ディスクＤの外周縁の前側部分が浮き上がること
がある。
【００１２】
従来では、図１１に示すように、フロントダストカバー２０の中央起立板２０ｂが横桁
１５と平行に配置され、その中央起立板２０ｂと横桁１５との間に隙間Ｅが生じているか
ら、図１３（ｂ）に示すように、ディスクＤの浮き上がった外周縁の前側部分が隙間Ｅに
入って中央起立板２０ｂに当たることがあり、これによって、そのディスクＤの前進ａが
阻止され、ディスク詰まりが生じる。
【００１３】
また、フロントダストカバー２０を用いないディスク装置でも、図１４の要部の斜視図
に示すように、ディスクＤの浮き上がった外周縁の前側部分が前面パネル１ａの開口部１
８の上縁に当たることがあり、そのディスクＤの前進ａが阻止され、ディスク詰まりが生
じる。
【００１４】
本発明は、上記従来の欠点に鑑み、トレイオープン時にディスク詰まりが生じないよう
にしたディスク装置を提供することを目的としている。
【課題を解決するための手段】
【００１５】
上記目的を達成するため、請求項１に記載の発明は、ディスク載置用トレイを前後進可
能に支持するローダーシャーシと、ターンテーブル及び光ピックアップを搭載し前記ロー
ダーシャーシ内に上下動可能に配置されたトラバースシャーシと、前記ターンテーブルに
対向してローダーシャーシの両側板間に架設した横桁の中央収納部内に一定範囲内昇降可
能に配置したクランパとを有し、ローダーシャーシの上面開口部の前側部分を塞ぐための
前側カバー及び該前側カバーの後端縁から上方に折れ曲がる中央起立板を介して後方に延
びる後側カバーからなるフロントダストカバーが設けられ、そのフロントダストカバーの
前側カバーをローダーシャーシの両側板間に渡し掛けると共に、後側カバーを横桁に当接
または接近させており、前進状態のトレイ上にディスクを載置し、該トレイを後進させて
ローダーシャーシ内に収納し、トラバースシャーシを上動させてターンテーブルによりト
レイ上のディスクを持ち上げてクランパとでチャッキングし、ターンテーブルにより高速
回転させたディスクに記録されている情報を光ピックアップにより読み取るようにしたデ
ィスク装置において、前記フロントダストカバーの中央起立板と横桁との間の隙間を塞ぐ
リブが該フロントダストカバーに一体突設され、該リブが後側カバーと中央起立板との間
の裏面コーナ部に前後進方向とは直交する左右方向に所定間隔をおいて複数一体突設され
ると共に、該各リブの下縁が前側カバーの下面と面一状にされており、各リブの後端縁を
前記横桁に接近または当接させると共に、該各リブの下縁を横桁の下縁と同一高さまたは
わずかに上方に位置決めしたことを特徴としている。
【発明の効果】
【００１６】
請求項１に記載の発明は実施の一形態（図１〜図３参照）に対応するものであって、こ
れによれば、ディスク装置が上向きの傾斜状態にされた場合、トレイの前進に伴ってディ
スクの外周縁の前側部分が浮き上がったとしても、その浮き上がった部分が各リブ及び前
側カバーにガイドされて滑るので、そのディスクをローダーシャーシ内から外部に円滑に
取り出すことができ、トレイオープン時にディスク詰まりが生じないようにすることがで
きる。
【発明を実施するための最良の形態】
【００１７】
図１〜図３は本発明の実施の一形態であるディスク装置を示すものであり、これはＤＶ
Ｄレコーダ（またはＤＶＤプレーヤ）であって、図１は同一部切欠き平面図、図２は同フ
ロントダストカバーの裏面側斜視図、図３（ａ）は同トレイイン状態の縦断面図、図３（
ｂ）は同トレイオープン状態の縦断面図である。
【００１８】
図１〜図３に示すように、フロントダストカバー２０の後側カバー２０ｃと中央起立板
２０ｂとの間の裏面コーナ部に複数（この形態では３つ）のリブ２４が前後進ａ，ｂ方向
とは直交する左右方向ｅ，ｆに所定間隔をおいて一体突設されると共に、該各リブ２４の
下縁２４ｂが前側カバー２０ａの下面と面一状にされており、各リブ２４の後端縁２４ａ
を横桁１５の前端縁に接近または当接させると共に、該各リブ２４の下縁２４ｂを横桁１
５の下縁１５ｂと同一高さ（またはわずかに上方）に位置決めした。上記以外の構成で図
６〜図１４に示す構成と同じ部分に同一符号を付してその説明を省略する。
【００１９】
上記構成において、図３（ａ）に示すように、ディスク装置が上向きに傾斜する載置面
Ｇ上に載置されることにより（この形態では傾斜角度αが１５°）、ミスチャッキングし
たディスクＤが後方に滑ってトレイ３の後側上面３ａに乗り上げられ、続いて、図３（ｂ
）に示すように、トレイ３を前進させ、それに伴って前進ａするディスクＤの外周縁の前
側部分が浮き上がり、その浮き上がった部分が各リブ２４及び前側カバー２０ａにガイド
されて滑り開口部１８から外部に取り出される。
【００２０】
上記構成によれば、フロントダストカバー２０の中央起立板２０ｂと横桁１５との間の
隙間Ｅが複数のリブ２４で塞がれているから、前進ａするディスクＤの浮き上がった外周
縁の前側部分が従来のように隙間Ｅに入って中央起立板２０ｂに当たることがなく、その
ディスクＤをローダーシャーシ４内から確実に取り出すことができ、トレイオープン時に
ディスク詰まりが生じないようにすることができる。
【００２１】
また、ディスク装置が上向きの傾斜状態にされた場合、トレイ３の前進ａに伴ってディ
スクＤの外周縁の前側部分が浮き上がったとしても、その浮き上がった部分が各リブ２４
及び前側カバー２０ａにガイドされて滑るので、そのディスクＤをローダーシャーシ４内
から外部に円滑に取り出すことができる。
【００２２】
図４及び図５は本発明の参考の一例を示すものであり、これはＤＶＤレコーダ（または
ＤＶＤプレーヤ）であって、図４（ａ）は同トレイイン状態の縦断面図、図４（ｂ）は同
トレイオープン状態の一部切欠き縦断面図、図５は同要部の斜視図である。
【００２３】
図４及び図５に示すように、フロントダストカバー２０（図１〜図３参照）を備えてお
らず、前面パネル１ａの開口部１８の上縁から後進ｂ方向に若干上向き傾斜状態で延びる
ガイド板２５が前面パネル１ａの裏面に一体突設されている。
【００２４】
上記構成において、図４（ａ）に示すように、ディスク装置が上向きに傾斜する載置面
Ｇ上に載置されることにより（この形態では傾斜角度αが１５°）、ミスチャッキングし
たディスクＤが後方に滑ってトレイ３の後側上面３ａに乗り上げられ、続いて、図４（ｂ
）に示すように、トレイ３を前進させ、それに伴って前進ａするディスクＤの外周縁の前
側部分が浮き上がったとしても、その浮き上がった部分がガイド板２５にガイドされて開
口部１８から外部に取り出される。
【００２５】
上記構成によれば、前進ａするディスクＤの浮き上がった外周縁の前側部分が開口部１
８の上縁に当たりそうになったとしても、その開口部１８の上縁にガイド板２５が一体突
設されているから、そのガイド板２５に沿ってディスクＤを前進ａさせることができ、ト
レイオープン時にディスク詰まりが生じないようにすることができる。
【００２６】
図３の仮想線は本発明の参考の他の例を示すものであって、上述した実施の一形態（図
１〜図３参照）のフロントダストカバー２０を備えたディスク装置において、参考の一例
（図４及び図５）のガイド板２５を付加させたものである。
【００２７】
上記構成によれば、実施の一形態と参考の一例に記載の発明の効果を併せ持っているか
ら、フロントダストカバー２０及び前面パネル１ａの開口部１８の両方でディスク詰まり
が生じないようにすることができる。
【図面の簡単な説明】
【００２８】
【図１】本発明の実施の一形態であるディスク装置を示す一部切欠き平面図である。
【図２】同フロントダストカバーの裏面側斜視図である。
【図３】（ａ）は同トレイイン状態の縦断面図、図３（ｂ）は同トレイオープン状態の縦断面図である。
【図４】（ａ）は本発明の参考の一例であるディスク装置を示すトレイイン状態の縦断面図、（ｂ）は同トレイオープン状態の縦断面図である。
【図５】同要部の斜視図である。
【図６】従来例を示すトレイオープン状態の縦断面図である。
【図７】同一部切欠き平面図である。
【図８】同トレイイン状態の縦断面図である。
【図９】同一部切欠き平面図である。
【図１０】同要部の分解斜視図である。
【図１１】同一部切欠き平面図である。
【図１２】同フロントダストカバーの裏面側斜視図である。
【図１３】（ａ）は同トレイイン状態の縦断面図、（ｂ）は同トレイオープン状態の縦断面図である。
【図１４】同要部の斜視図である。
【符号の説明】
【００２９】
１            筐体
２            ディスク装置本体
３            トレイ
４            ローダーシャーシ
４ａ          ローダーシャーシの側板
５            トラバースシャーシ
９            ターンテーブル
１１          光ピックアップ
１５          横桁
１５ａ        横桁の中央収納部
１６          クランパ
１８          開口部
２０          フロントダストカバー
２０ａ        フロントダストカバーの前側カバー
２０ｂ        フロントダストカバーの中央起立板
２０ｃ        フロントダストカバーの後側カバー
２４          リブ
２４ａ        リブの後端縁
２４ｂ        リブの下縁
２５          ガイド板
Ｄ            ディスク
ａ，ｂ        前後進
【図１】
0005141179.tif 000002
【図２】
0005141179.tif 000003
【図３】
0005141179.tif 000004
【図４】
0005141179.tif 000005
【図５】
0005141179.tif 000006
【図６】
0005141179.tif 000007
【図７】
0005141179.tif 000008
【図８】
0005141179.tif 000009
【図９】
0005141179.tif 000010
【図１０】
0005141179.tif 000011
【図１１】
0005141179.tif 000012
【図１２】
0005141179.tif 000013
【図１３】
0005141179.tif 000014
【図１４】
0005141179.tif 000015